(57)【要約】【課題】  爪の組み立てが不要で、しかも操作が簡単な蓋と蓋を容器本体に固定する蓋固定具を提供する。【解決手段】  蓋は、載置部の内側に下方に突出した側壁の下端に連続して設けた上面板に封緘具を装着する封緘具用コ字状突起を突設するとともに、前記側壁に爪挿入孔を穿設してなる。前記封緘具用コ字状突起は、前記上面板に設けた溝内に突設するか、上面板上の平行なリブの間に突設してもよい。前記載置部の外周端に下向きのフランジを突設することが好ましい。一方、蓋固定具は、平面長方形状の板体からなる本体部の両端に爪を突設し、本体部に透孔を形成するとともに、前記透孔に隣接して封緘具用突起を設けてなる。前記爪は、封緘具用コ字状突起に近い方の爪を他方の爪よりも長く形成することが好ましい。また、前記本体部の周縁を周縁リブによって、縁取ることが好ましい。【選択図】  図１
2006298406.tif 000002
【特許請求の範囲】
【請求項１】
載置部の内側に下方に突出した側壁の下端に連続して設けた上面板に封緘具を装着する封緘具用コ字状突起を突設するとともに、前記側壁に爪挿入孔を穿設したことを特徴とする蓋。
【請求項２】
封緘具用コ字状突起は、前記上面板に設けた溝内に突設されており、溝の両端面における側壁に爪挿入孔を穿設したことを特徴とする請求項１に記載の蓋。
【請求項３】
封緘具用コ字状突起は前記上面板上の平行なリブの間に突設されており、平行なリブの間の側壁に爪挿入孔を穿設したことを特徴とする請求項１に記載の蓋。
【請求項４】
載置部の外周端に下向きのフランジを突設したことを特徴とする請求項１〜３のいずれか１項に記載の蓋。
【請求項５】
平面長方形状の板体からなる本体部の両端に爪を突設し、本体部に透孔を形成するとともに、前記透孔に隣接して封緘具用突起を設けたことを特徴とする蓋固定具。
【請求項６】
封緘具用コ字状突起に近い方の爪を他方の爪よりも長く形成したことを特徴とする請求項５に記載の蓋固定具。
【請求項７】
本体部の周縁は、周縁リブにより縁取られていることを特徴とする請求項５又は６に記載の蓋固定具
【発明の詳細な説明】
【技術分野】
【０００１】
この発明は、容器の上部開口部に嵌合する蓋と、前記蓋を容器に固定するための蓋固定具に関するものである。
【背景技術】
【０００２】
従来、蓋付き容器には、容器の上部開口部に嵌合した蓋が不正に開けられないように、蓋をロック状態となるように嵌合したり、蓋を嵌合した後、封緘具で結束することによってロック状態とする容器がある。例えば、図１３以下に示す蓋付き容器は、平面方形状に形成されており、蓋に設けた爪を容器本体の上部に設けた孔に差し込み、封緘具で固定するものである。
【０００３】
即ち、蓋１は、周縁を容器本体２の上端面に載置する載置部３となし、載置部３の内側に下向きに形成した側壁４に上面板５を設け、上面を凹面に形成するとともに、前記上面板５には対向する側壁４に開口する溝６を設けてなる。前記溝６の一端側に側壁４から外方に突出した固定爪７を突設し、他方側の溝６には、可動爪８を摺動自在に装着した可動爪保持部９を突設してなる。前記可動爪保持部９は、可動爪挿入孔１０と封緘具用コ字状突起１１を上下に有しており、可動爪８の後端部は直角に立ち上がっており、封緘具用挿入孔１２が穿設されている。
【０００４】
一方、容器本体２は、上部開口部は前記蓋１の側壁４が嵌入する大きさであって、上部には外方に突出した水平なフランジ１５が設けられている。側壁の対向する側面上部には蓋１を装着したとき蓋１の固定爪７と可動爪８を挿入する爪挿入孔１７，１８が穿設されている。
【０００５】
上記構成の蓋１を容器本体２に嵌合してロック状態とするには、まず、固定爪７を爪挿入孔１７に挿入して容器本体２の水平フランジ１５に蓋１の載置部３を載置すると同時に、側壁４を容器本体２の上部開口部に嵌入する。次いで、可動爪８をスライドさせて爪挿入孔１８に挿入する。このようにして、蓋１は容器本体２に確実に嵌合される。
【０００６】
さらに、運搬中や保管中に蓋２を不正に開けて収納物を抜き取られることがないように、蓋１と容器本体２とをロック状態とする。蓋１と容器本体２とをロック状態にするには、可動爪保持部９の封緘具用コ字状突起１１と可動爪８の封緘具用挿入孔１２に封緘具、例えばインシュロックのバンド部を挿入して締結すればよい。封緘具によって可動爪８は可動爪保持部９に固定されるから、蓋１は封緘具を破損しない限り開けることができない。従って、収納物を不正に抜き取られるのを防止することができる。
【発明の開示】
【発明が解決しようとする課題】
【０００７】
ところで、上記構成のような公知の蓋構造は、図１４に示すように、別途成型した爪を蓋に取り付ける構造であるために、部品点数が多く成型費が高くなり、またこれらの部品を保管するのに手間がかかるという問題がある。また、爪は蓋に一体に取り付けられるが、これらの組立費が嵩みコストアップになるという問題がある。さらに、爪が破損すると蓋自体が使用することができなくなり、蓋自体を取り換えなければならないという問題がある。
【０００８】
そこで、この発明は、爪の組み立てが不要で、しかも操作が簡単な蓋と蓋を容器に固定する蓋固定具を提供することを課題とする。
【課題を解決するための手段】
【０００９】
この発明に係る蓋は、載置部の内側に下方に突出した側壁の下端に連続して設けた上面板に封緘具を装着する封緘具用コ字状突起を突設するとともに、側壁に爪挿入孔を穿設したことを特徴とする。前記封緘具用コ字状突起は、前記上面板に設けた溝内に突設されており、溝の両端面における前記側壁に爪挿入孔を穿設した構成とすることができる。また、前記封緘具用コ字状突起は、前記上面板上の平行なリブの間に突設されており、平行なリブの間の側壁に爪挿入孔を穿設した構成としてもよい。また、前記載置部の外周端に下向きのフランジを突設してもよい。
【００１０】
この発明に係る蓋固定具は、平面長方形状の板体からなる本体部の両端に爪を突設し、本体部に透孔を形成するとともに、前記透孔に隣接して封緘具用突起を形成したことを特徴とする。前記封緘具用突起に近い方の爪を他方の爪よりも長く形成することが好ましい。また、前記本体部の周縁を周縁リブによって縁取ることが好ましい。
【発明の効果】
【００１１】
この発明に係る蓋は、構造が簡単であり、一般の蓋と同様に成型することができ、爪を組み立てることは不要であるから、成型費が高くなることはなく、組立費も不要である。一方、この発明に係る蓋固定具は、蓋とは別途成型され、使用するときに組み合わせて使用する構造であるから、組み立てによる費用のアップを抑えることができる。また、蓋固定具をスライドさせるだけで蓋を容器本体にロック状態にしたり、ロック状態を解除することができるので、操作がきわめて簡単である。また、蓋固定具は、溝又はリブ間をスライドさせる構成としたから、スムーズに操作することができる。
【発明を実施するための最良の形態】
【００１２】
以下、図面を参照してこの発明に係る蓋と蓋固定具の実施の形態を説明する。図１は、蓋と蓋固定具と容器本体との関係を示す斜視図である。まず、蓋２０について説明する。蓋２０は、平面方形状であって、周縁を容器本体の上端面に載置する載置部２１となし、載置部２１の内側から下方に突出した側壁２２を設け、前記側壁２２の下端に連続して上面板２３を設けてなる。従って、蓋の上面は凹面に形成されている。
【００１３】
前記上面板２３の下面には、図３に示すように、補強リブ２４が設けられている。前記補強リブ２４は、上面板の下面周縁を縁取る周縁リブ２４ａと、その内側に設けられた内側リブ２４ｂと、前記周縁リブ２４ａの対角を連結する略Ｘ字状の連結リブ２４ｃによって形成されている。前記載置部２１の外周端には下向きフランジ２５が突設されている。
【００１４】
前記上面板２３の中央部には、短手方向と平行な溝２７が対向する側壁２２、２２に両端部を開口するように設けられている。前記溝２７は、上面板２３を凹ませて形成されており、略中間部は広幅部２７ａとされていて、中央部に封緘具用コ字状突起２８が設けられている。前記封緘具用コ字状突起２８は、溝２７の底面よりも上方に断面コ字状の突片２８ａを突設し、前記突片２８ａの内側は封緘具を挿通する挿通孔２８ｂとしている。
【００１５】
尚、溝２７を設けることによって蓋２０の強度を高めることができ、しかも蓋２０の上面に上段の容器本体を積み重ねる際にも支障がない。また、前記広幅部２７ａを設けることにより蓋固定具の両側を挟んで蓋固定具を溝２７に装着したり取り出したりすることができるが、必ずしも広幅部２７ａを設ける必要はなく、溝２７全体を同じ幅寸法に形成してもよい。
【００１６】
さらに、前記溝２７の両端側における側壁２２には、蓋固定具の両端部の爪を挿入する爪挿入孔２９、３０が設けられている。前記爪挿入孔２９、３０は、図４及び図５に示すように、溝２７の底面より上方に位置し、蓋固定具をスライドさせて爪を挿入できるように設けられている。
【００１７】
また、短手方向の載置部２１と側壁２２には、隅部近くにそれぞれ透孔３１、３２が設けられている。この透孔３１、３２は、容器本体に嵌合した蓋２０の上面に上段の容器本体を積み重ねたとき、容器本体の側面に設けた膨出部５０の下端部に突設された突起５１が嵌入するように形成したものであって、容器本体の形状により適宜省略することができる。
【００１８】
次に、前記溝２７に装着して蓋２０を容器本体に固定する蓋固定具について説明する。蓋固定具３３は、図１及び図６〜８に示すように、平面細長板状の本体部３４の一方端に爪３５を突設し、他方端に爪３６を突設してなり、爪３５は爪３６よりも長く形成されている。その理由は、爪３５を爪挿入孔２９に先に挿入することにより蓋固定具を蓋に容易に固定することができ、逆に爪３５を爪挿入孔２９に奧まで挿入した状態で反対側の爪３６を爪挿入孔３０から取り出すことにより容易に解除することができるからである。前記本体部３４は、前記溝２７内に装着される大きさであって、両端部の爪３５，３６がそれぞれ爪挿入孔２９、３０に挿入される。
【００１９】
前記本体部３４の中央部には、蓋２０の封緘具用コ字状突起２８を嵌入する平面長方形状の透孔３７が形成されており、前記透孔３７に近接して封緘具用突起３８が設けられている。本体部３４の上面周縁部は、成型時における本体部３４の変形を防止するとともに、補強のためのリブ３９で縁取られている。前記封緘具用突起３８がリブ３９の対向する長手方向を連結するように設けられている。前記封緘具用突起３８は、透孔３７に近接して爪３５側に設けられており、下端部中央には封緘具を挿通する封緘具挿通孔４０が形成されている。
【００２０】
前記封緘具挿通孔４０は、封緘具用突起３８の下方とその両側の本体部３４を切り欠くことによって形成されている。従って、封緘具を封緘具用突起３８の一方の側面側から反対側の側面側に挿通することができる。封緘具挿通孔４０の大きさは使用する封緘具によって適宜決定すればよい。前記封緘具用突起３８は、溝２７内をスライドさせたり着脱する際につまみとしても機能させることができる。
【００２１】
次に、図９及び図１０に示す蓋の第２実施形態について説明する。蓋２０Ａは、蓋２０の溝２７に代えて平行リブ４１，４１を設けたもので、他の構成については蓋２０と同様であるから同一符号を付してその説明は重複を避けるために省略する。
【００２２】
平行リブ４１，４１は、上面板２３の略中央部に対向する側壁２２，２２間に設けられており、図示する実施形態では側壁２２，２２と同じ高さに形成されている。前記平行リブ４１，４１は、側壁２２，２２の高さよりも低く形成してもよい。前記平行リブ４１，４１は、溝２７と同様に蓋固定具３３をスライドさせるときのガイドとなるとともに蓋２０Ａの補強材となるものであり、第１実施形態では、上面板２３を凹ませて形成した溝２７によって蓋固定具３３をガイドする構成としたが、この第２実施形態では、上面板２３を凹ませることなく同一面上に平行リブ４１，４１を形成することによって、蓋固定具３３をガイドするようにしたものである。従って、平行リブ４１，４１は、蓋固定具３３を装着できる間隔を有していればよい。
【００２３】
上記実施形態の溝２７又は平行リブ４１，４１は、蓋固定具３３をスムーズにスライドさせるために設けたものであるから、これらの溝２７又は平行リブ４１，４１を省略して上面板２３を平滑な水平面とし、封緘具用コ字状突起２８のみを突設する構成とすることも可能である。
【００２４】
次に、蓋と前記蓋を固定する蓋固定具の使用方法を上記第１実施形態を例に説明する。まず、図１及び図１１に示すように、容器本体４３の上面開口部に蓋２０を嵌合する。容器本体４３には、上端縁に水平フランジ４４が設けられており、対向する側面上部中央にそれぞれ爪挿入孔４５，４５が穿設されている。前記水平フランジ４４に蓋２０の載置部２１を載置するとともに、下向きフランジ２５に水平フランジ４４の外面を嵌合させながら、側壁２２を容器本体４３の上面開口部に嵌入することによって蓋２０を嵌合する。
【００２５】
次に、蓋固定具３３の爪３５を蓋２０の爪挿入孔２９と容器本体の爪挿入孔４５に挿入する。その後、蓋固定具３３を水平にしながら蓋固定具３３の透孔３７に蓋２０の封緘具用コ字状突起２８を挿入し、蓋固定具３３全体を溝２７に嵌入する。蓋固定具３３を溝２７に嵌入した後、蓋固定具３３をスライドさせて爪３６を蓋２０の爪挿入孔３０と容器本体の爪挿入孔４５に挿入する。
【００２６】
このようにして、蓋固定具３３をスライドさせると、蓋固定具３３の封緘具用突起３８が蓋２０の封緘具用コ字状突起２８に接近し、一方の爪３５が蓋２０の爪挿入孔２９と容器本体の爪挿入孔４５に挿入したまま、他方の爪３６が蓋２０の爪挿入孔３０と容器本体の爪挿入孔４５に挿入されて蓋２０が容器本体４３に固定される。
【００２７】
その後、図１３以下に示す従来例と同様に、蓋２０の封緘具用コ字状突起２８の挿通孔２８ｂと、蓋固定具３３の封緘具用突起３８の封緘具挿通孔４０とに封緘具を挿通させて締結すればよい。図１２は、封緘具にインシュロック５２を用いて締結した場合の例である。
【００２８】
即ち、インシュロック５２を用いて締結するには、インシュロック５２のバンド部を蓋２０の封緘具用コ字状突起２８の挿通孔２８ｂに挿通し、さらに続けてバンド部を蓋固定具３３の封緘具用突起３８の挿通孔４０に挿通する。次に、バンド部をインシュロック５２の頭部のバンド挿入部に挿入して締結すればよい。インシュロック５２により締結されると、ロック状態となりバンド部を切断しない限りロック状態を解除することができない。
【００２９】
上記のように、この発明に係る蓋と前記蓋を固定する蓋固定具は、それぞれ別途形成されており、使用するときに組み合わせて使用するものであるから、安価に製造することができる。また、操作が簡単であり、爪が破損した場合にも蓋固定具を取り換えるだけで使用することができる。
【図面の簡単な説明】
【００３０】
【図１】この発明の一実施形態に係る蓋と蓋固定具と容器本体の関係を示す斜視図である。
【図２】蓋に蓋固定具を嵌入した状態の平面図である。
【図３】蓋の底面図である。
【図４】図２のＡ−Ａ線における蓋の断面図である。
【図５】蓋の正面図である。
【図６】蓋固定具の平面図である。
【図７】蓋固定具の底面図である。
【図８】図６のＢ−Ｂ線断面図である。
【図９】第２実施形態の蓋を示す要部断面斜視図である。
【図１０】図９におけるＣ−Ｃ線断面図である。
【図１１】蓋を容器本体に嵌合した状態の斜視図である。
【図１２】インシュロックにより封緘した封緘例を示す斜視図である。
【図１３】一方側に固定爪を設け、他方側にスライド爪を設けた従来の蓋と容器本体を示す斜      視図である。
【図１４】従来の蓋のスライド爪を容器本体に挿入した状態の要部断面図である。
【図１５】従来の蓋の固定爪を容器本体に挿入した状態の要部断面図である。
【符号の説明】
【００３１】
２０：蓋  
２１：載置部
２２：側壁  
２３：上面板  
２４：補強リブ
２５：下向きフランジ  
２７：溝  
２８：封緘具用コ字状突起  
２９、３０：爪挿入孔  
３１、３２：透孔  
３３：蓋固定具  
３４：本体部  
３５，３６：爪  
３７：透孔  
３８：封緘具用突起
３９：リブ  
４０：封緘具挿通孔
【図１】
2006298406.tif 000003
【図２】
2006298406.tif 000004
【図３】
2006298406.tif 000005
【図４】
2006298406.tif 000006
【図５】
2006298406.tif 000007
【図６】
2006298406.tif 000008
【図７】
2006298406.tif 000009
【図８】
2006298406.tif 000010
【図９】
2006298406.tif 000011
【図１０】
2006298406.tif 000012
【図１１】
2006298406.tif 000013
【図１２】
2006298406.tif 000014
【図１３】
2006298406.tif 000015
【図１４】
2006298406.tif 000016
【図１５】
2006298406.tif 000017